(57)【要約】【課題】ネットワークを介したコンテンツのダビングにおいて、従来はダビングできなかったＴＳコンテンツも、ダビング可能にする技術を提供し、映像記録再生装置の利便性を向上させる。【解決手段】ＨＤＤ１０６に格納されたコンテンツが選択されると（Ｓ１０１）、マイクロコンピュータ１１７は、受信機器から機器固有の固体情報をネットワークを介して取得し（Ｓ０２）、該固体情報に基づいて前記選択されたコンテンツが受信装置に送信可能か判断する（Ｓ１０５）。前記選択されたコンテンツが受信装置に送信不可能な場合、マイクロコンピュータ１１７は、前記固体情報に基づいて、前記選択されたコンテンツをトランスコードして前記受信装置に送信する（Ｓ０７〜Ｓ０６）。【選択図】    図２
2010011180.tif 000002
【特許請求の範囲】
【請求項１】
映像コンテンツをネットワークを介して受信機器に送信する映像記録再生装置であって、
コンテンツを格納する格納手段と、
前記格納手段に格納されたコンテンツを選択する選択手段と、
前記受信機器から機器固有の固体情報を前記ネットワークを介して取得する手段と、
前記固体情報に基づいて、前記選択されたコンテンツが前記受信装置に送信可能か判断する手段と、
前記選択されたコンテンツが前記受信装置に送信不可能な場合、前記固体情報に基づいて、前記選択されたコンテンツをトランスコードして前記受信装置に送信するトランスコード手段と、
を具備することを特徴とする映像記録再生装置。
【請求項２】
前記トランスコード手段は、前記選択されたコンテンツがＭＰＥＧ−ＴＳの場合、前記コンテンツをＭＰＥＧ−ＰＳにトランスコードすることを特徴とする請求項１記載の映像記録再生装置。
【請求項３】
前記判断手段は、前記固体情報に基づいて、前記受信器がＤＴＣＰ−ＩＰダビング対応機器か判断し、
前記選択されたコンテンツがＭＰＥＧ−ＴＳであって、前記受信器がＤＴＣＰ−ＩＰダビング非対応機器の場合、前記トランスコード手段は前記選択された前記コンテンツをＭＰＥＧ−ＰＳにトランスコードすることを特徴とする請求項１記載の映像記録再生装置。
【請求項４】
映像コンテンツを、ネットワークを介して受信機器に送信するコンテンツ送信方法であって、
格納手段に格納されたコンテンツを選択する工程（Ｓ０１）と、
前記受信機器から機器固有の固体情報を、前記ネットワークを介して取得する工程（Ｓ０２）と、
前記固体情報に基づいて、前記選択されたコンテンツが前記受信装置に送信可能か判断する工程（Ｓ０５）と、
前記選択されたコンテンツが前記受信装置に送信不可能な場合、前記固体情報に基づいて、前記選択されたコンテンツをトランスコードして前記受信装置に送信する工程（Ｓ０６〜Ｓ０８）と、
を具備することを特徴とするコンテンツ送信方法。
【請求項５】
前記トランスコードする工程は、前記選択されたコンテンツがＭＰＥＧ−ＴＳの場合、前記コンテンツをＭＰＥＧ−ＰＳにトランスコードすることを特徴とする請求項４記載のコンテンツ送信方法。
【請求項６】
前記判断工程は、前記固体情報に基づいて、前記受信器がＤＴＣＰ−ＩＰダビング対応機器か判断し、
前記選択されたコンテンツがＭＰＥＧ−ＴＳであって、前記受信器がＤＴＣＰ−ＩＰダビング非対応機器の場合、前記トランスコードする工程では前記選択された前記コンテンツをＭＰＥＧ−ＰＳにトランスコードすることを特徴とする請求項１記載のコンテンツ送信方法。
【請求項７】
映像コンテンツを送信機器からネットワークを介して受信機器に送信するコンテンツ送信システムであって、
前記送信機器は、
コンテンツを格納する格納手段と、
前記格納手段に格納されたコンテンツを選択する選択手段と、
前記受信機器から機器固有の固体情報を前記ネットワークを介して取得する手段と、
前記固体情報に基づいて、前記選択されたコンテンツが前記受信装置に送信可能か判断する手段と、
前記選択されたコンテンツが前記受信装置に送信不可能な場合、前記固体情報に基づいて、前記選択されたコンテンツをトランスコードして前記受信装置に送信するトランスコード手段と、を具備し、
前記受信機器は、
前記取得手段の要求に応じて、前記受信機器がＤＴＣＰ−ＩＰ対応機器であるか否かを示す固体情報を前記送信機器に送信することを特徴とするコンテンツ送信システム。
【発明の詳細な説明】
【技術分野】
【０００１】
本発明は、映像コンテンツをネットワークを介して受信機器に送信する映像記録再生装置に関する。
【背景技術】
【０００２】
近年になって、複数の記録再生装置をネットワークで接続した構成により、装置間で映像コンテンツのダビングを行う技術が普及している。
【０００３】
下記特許文献１では、ダビング元となる記録再生装置から、他の複数の記録再生装置を特定せずに、保持している記録メディアの陣容に関する情報を要求し、記録再生装置およびその記録メディアを特定した上で、そのステータスに関する情報を要求する。そしてこのステータスに基づきダビング先として成立するか否かを判断し、成立する場合はダビング動作に移行する。
【０００４】
（段落番号００２５〜００３２、図２〜４、６）
【特許文献１】特開２００６−１８８７１号公報（段落番号００２５〜００３２、図２〜４、６）
【発明の開示】
【発明が解決しようとする課題】
【０００５】
最近では、ＤＴＣＰ−ＩＰ(digital transmission content protection over internet protocol)等の暗号化技術を用いて、ネットワークを介してデジタル放送コンテンツ等のＭＰＥＧ−ＴＳ形式コンテンツを転送するシステムが提供された。ＤＴＣＰ−ＩＰでは、機器ごとにＩＤを持たせ、公開鍵暗号または共通鍵暗号を利用して相互認証し、双方でコンテンツ保護が行えると認識しあえて初めて録画・再生あるいは転送が可能になる。認証出来ると送信側機器には暗号用の鍵を持たせ、受信側のレコーダーには復号用の鍵を持たせ、映像コンテンツなどを暗号化して送信する。
【０００６】
ＤＴＣＰ−ＩＰ非対応機器では、ＭＰＥＧ２−ＰＳ等のＰＳ（プログラムストリーム）をネットワークを介して送受信できるものはあるが、ＭＰＥＧ２−ＴＳ等のＴＳ（トランスポートストリーム）を送信あるいは受信することができない。上記特許文献１は、記録再生装置の保持する記録メディアおよびステータに基づきダビング先を判断するもので、ＴＳコンテンツ、コピー禁止のＰＳ／ＴＳコンテンツの装置間のダビング可否についての記載はない。
【０００７】
本発明は、複数の映像記録再生装置間でのネットワークを介したコンテンツのダビング（送受信）において、従来はダビングできなかったＴＳコンテンツも、ダビング可能にする技術を提供し、映像記録再生装置の利便性を向上させることを目的としている。
【課題を解決するための手段】
【０００８】
本発明の一実施例は、映像コンテンツをネットワークを介して受信機器に送信する映像記録再生装置であって、コンテンツを格納する格納手段と、前記格納手段に格納されたコンテンツを選択する選択手段と、前記受信機器から機器固有の固体情報を前記ネットワークを介して取得する手段と、前記固体情報に基づいて、前記選択されたコンテンツが前記受信装置に送信可能か判断する手段と、前記選択されたコンテンツが前記受信装置に送信不可能な場合、前記固体情報に基づいて、前記選択されたコンテンツをトランスコードして前記受信装置に送信するトランスコード手段とを具備する。
【発明の効果】
【０００９】
本発明では、複数の映像記録再生装置間でのネットワークを介したコンテンツのダビング（送受信）において、従来は受信できなかったＴＳコンテンツも受信機器に応じて送信機器が自動でコンテンツ形式をトランスコードしてダビングできるようにすることで、映像記録再生装置の利便性を向上させる効果がある。
【発明を実施するための最良の形態】
【００１０】
以下、図面を参照して本発明の実施の形態を説明する。
【００１１】
図１は、本発明の一実施形態に係る映像記録再生装置の一例を示すブロック図である。尚、図１の映像記録再生装置は、イーサネット（登録商標）コントローラ１１５を用いて、送信装置としても受信装置としても機能するものである。
【００１２】
本装置では情報記録時に、ＴＶチューナ１００や外部入力端子１０１から入力されたアナログ映像・音声信号を、ビデオＡＤＣ１０２、オーディオＡＤＣ１０３にてデジタル化し、ＭＰＥＧエンコーダ１０４にてＭＰＥＧ形式のＰＳに変換し、ディスクコントローラ１０５を経てＨＤＤ１０６又はＤＶＤドライブ１０７に挿入されたＤＶＤメディア１０８に記録する。ＴＶチューナ１００はデジタル放送を受信して選局するデジタルチューナ部を有し、選局された局のＴＳを出力する。このＴＳはディスクコントローラ１０５を介してＨＤＤ１０６に記録される。このような記録処理は、マイクロコンピュータ１１７にて動作するソフトウェアによって制御される。
【００１３】
またディスクコントローラ１０５は情報再生時に、ＨＤＤ１０６またはＤＶＤドライブ１０７に挿入されたＤＶＤメディア１０８からＰＳまたはＴＳのデータストリームを読出す。このデータストリームは、ＭＰＥＧデコーダ１０９にてデコードされ、映像信号はビデオＤＡＣ１１０によりＤ／Ａ変換され、音声信号はオーディオＤＡＣ１１１にてＤ／Ａ変換され、それぞれビデオ出力端子１１２及びオーディオ出力端子１１３から提供される。この映像信号は、本装置に接続された例えばＴＶの画面に表示され、音声信号はスピーカから出力される。 
またマイクロコンピュータ１１７はイーサネットコントローラ１１５を用いて、イーサネットで接続された他の機器と通信を行うことができる。また本装置はマイクロコンピュータ１１７とは別の電源系統で動作するタイマーマイコン１１４を備えており、ユーザの操作手段としてはキー入力部１１６を備えている。
【００１４】
以下、本発明に係る映像記録再生装置のネットワークを介したコンテンツのダビング処理について説明する。
【００１５】
本発明の一実施形態は、ネットワーク等の通信手段を備えたパーソナルコンピュータ、ＤＶＤレコーダ、ＳＴＢ等の映像記録再生装置であって、受信機器の機器固有の個体情報をネットワーク経由で認識する機能を備える。この映像記録再生装置はまた、機器間でネットワークを介したコンテンツのダビング（送受信）処理を行うための“ネットｄｅダビング機能”（以下、ダビング機能Ａという）または“ネットｄｅダビングＨＤ機能”（以下、ダビング機能Ｂという）を備える。
【００１６】
上記ダビング機能Ａは、イーサネット経由でＰＳのコピー可能コンテンツのみのＣｏｐｙ／Ｍｏｖｅ処理を実現する。
【００１７】
上記ダビング機能Ｂは、ＤＴＣＰ−ＩＰによる暗号化を施してイーサネット経由でコピー禁止コンテンツのＭｏｖｅ処理を実現する。本機能は、この他にコピー可能コンテンツのＣｏｐｙ／Ｍｏｖｅ処理も実現し、ＰＳあるいはＴＳ等のコンテンツ形式は問わない。このダビング機能Ｂの搭載機器は、ダビング機能Ａも搭載する。
【００１８】
上記したような機器同士がネットワークを介してコンテンツを送受信する際、受信機器の個体情報（例えばダビング機能Ａの対応可否情報など）に合わせて、ダビング動作が決定される。たとえば、受信機器がダビング機能Ａのみ搭載の場合、送信機器でコンテンツデータを送受信可能な形式にトランスコードし、コンテンツデータを送受信する。
【００１９】
以下、本発明の一実施形態に係る映像記録再生装置の動作を詳細に説明する。
【００２０】
図２は、図１で示した映像記録再生装置でのネットワークを介したコンテンツのダビング（送受信）処理における送信機器側の動作フローを示したものである。
【００２１】
まずユーザのキー操作によってダビングコンテンツ選択（ステップＳ０１）が実行されると、マイクロコンピュータ１１７はダビングコンテンツ選択用のＧＵＩを表示する。図３はダビングコンテンツ選択の際にユーザに提示されるＧＵＩの例である。この例ではＨＤＤ１０６が選択された場合を示している。太線の上段にはＨＤＤ１０６に記録されているコンテンツの代表画像が表示される。ユーザが所望コンテンツを選択すると、該コンテンツの代表画面が太線下段にコピーされ、選択が確認される。
【００２２】
ステップＳ０２にてマイクロコンピュータ１１７は、受信可能な機器の個体情報を取得する。図４はネットワークを介して送信機器が受信可能な機器の個体情報を取得する処理について示したものである。
【００２３】
送信機器はネットワーク上の受信可能な機器を検索するため、ＮｅｔＢＩＯＳを使用して受信機器を検索し（Ｓ１１）、受信機器からの応答を受け取る（ＳＴ１２）。このときの応答データには、受信機器のメーカ名、型番、機種名等が含まれる。その後、受信機器に対して個体情報１２１を要求し（Ｓ１３）、受信機器は個体情報１２１を送信する（Ｓ１４）。ここで、個体情報にはＤＴＣＰ−ＩＰ対応（ネットｄｅダビングＨＤ機能搭載）有無情報が含まれる。
【００２４】
図２の説明に戻り、ステップＳ０３にてマイクロコンピュータ１１７は、受信機器一覧をＧＵＩ表示にてユーザに提示する。図５は、図２の受信機器一覧表示（ＧＵＩ）の例である。この受信機器一覧では、ネットワークを介して接続された機器の機器名と、各機器に備えられたディスクドライブが表示される。
【００２５】
ユーザが受信機器一覧から受信機器を選択すると（ステップＳ０４）、ステップＳ０１にて選択したコンテンツが、ステップＳ０４にて選択した受信機器で送受信可能かを判断する（ステップＳ０５）。
【００２６】
ステップＳ０５にて、Ｙ方向に処理が移行するのは、送受信機器の片方がダビング機能Ｂの非搭載機器でコンテンツがコピー可能なＰＳ形式の場合、または送受信機器が両方ともダビング機能Ｂ搭載機器の場合である。それ以外の場合、処理はＮ方向に移行する。
【００２７】
コンテンツが送受信可能である場合、送信機器から受信機器へネットワークを介したダビング処理を実施する（ステップＳ０６）。コンテンツが送受信可能でない場合は、コンテンツがコピー禁止かどうかを判断し（ステップＳ０７）、コピー禁止でない場合は、受信機器の個体情報４０１に合わせて、送信機器でコンテンツを送受信可能な形式にトランスコードし（ステップＳ０８）、コンテンツをダビングする（ステップＳ０６）。コンテンツがコピー禁止の場合は、ダビング処理を実施せずに終了する。複数のコンテンツをダビングする際は、ステップＳ０６でダビング処理を開始する前に、再度ステップＳ０１にて追加するコンテンツを選択する。
【００２８】
図６は、受信機器と送信機器が有するダビング機能Ａ、Ｂと、ダビング対象コンテンツの形式（ＴＳ／ＰＳ）による送受信パターンを示したものである。
【００２９】
機能ＡはＰＳコンテンツをネットを介して送受信する機能である。機能Ａを有する機器の場合、コピー可能なＰＳコンテンツのみダビング（Ｃｏｐｙ／Ｍｏｖｅ）可能である。従って、条件１〜３のように、送受信機器のどちらか一方あるいは両方が機能Ａのみ搭載している場合、ダビング対象コンテンツがコピー可能なＴＳコンテンツであるならば、ダビング対象コンテンツをＰＳ形式にトランスコードしてダビングする。ダビング対象コンテンツがＰＳであれば、ＰＳのままダビングされる。
【００３０】
機能Ｂは、ＴＳコンテンツをネットを介して送受信する機能である。機能Ｂを搭載した機器は一般に機能Ａも搭載され、ＰＳ／ＴＳのコンテンツ両方のダビングが、トランスコードなしに可能である。従って条件４のように、送受信機器の両方が機能Ｂを搭載している場合は、ＴＳまたはＰＳコンテンツをそのままダビングする（ダビングの際にトランスコードを実施する必要は無い）。しかし、必要に応じてトランスコードしてダビングすることも可能である。
【００３１】
以上説明したように本発明によれば、複数の映像記録再生装置間でのネットワークを介したコンテンツのダビングにおいて、従来は受信できなかったＴＳコンテンツも受信機器に応じて送信機器が自動でコンテンツ形式をトランスコードしてダビングできるようにすることで、映像記録再生装置の利便性を向上させる効果が得られる。
【００３２】
以上の説明はこの発明の実施の形態であって、この発明の装置及び方法を限定するものではなく、様々な変形例を容易に実施することができるものである。
【図面の簡単な説明】
【００３３】
【図１】本発明の一実施形態に係る映像記録再生装置の一例を示すブロック図である。
【図２】コンテンツのダビング処理における送信機器側の動作フローを示す図である。
【図３】ダビングコンテンツ選択の際にユーザに提示されるＧＵＩの一例である。
【図４】ネットワークを介して受信可能な受信機器の個体情報を、送信機器側で取得する処理を示す図である。
【図５】図２の受信機器一覧表示（ＧＵＩ）の例を示す図である。
【図６】受信機器と送信機器が有するダビング機能Ａ、Ｂと、ダビング対象コンテンツの形式（ＴＳ／ＰＳ）による送受信パターンを示す図である。
【符号の説明】
【００３４】
１００…ＴＶチューナ、１０２…ビデオＡＤＣ、１０３…オーディオＡＤＣ、１０４…ＭＰＥＧエンコーダ、１０５…ディスクコントローラ、１０６…ＨＤＤ、１０７…ＤＶＤドライブ、１０８…ＤＶＤメディア、１０９…ＭＰＥＧデコーダ、１１０…ビデオＤＡＣ、１１１…オーディオＤＡＣ、１１４…タイマーマイコン、１１５…イーサネットコントローラ、１１７…マイクロコンピュータ。
【図１】
2010011180.tif 000003
【図２】
2010011180.tif 000004
【図３】
2010011180.tif 000005
【図４】
2010011180.tif 000006
【図５】
2010011180.tif 000007
【図６】
2010011180.tif 000008